(57)【要約】【課題】サウンドを演奏及び記録できるピクチャフレームデバイスを提供する。【解決手段】ピクチャを中に固定するフレームと、フレーム上に配置されるコードリーダであって、該コードリーダを移動することによって、ピクチャ上のバーコードを読み取るコードリーダと、コードリーダに連結され、バーコードをオーディオファイルに復号するデコーダと、デコーダに連結され、オーディオファイルを出力するプレーヤと、を備える、サウンドを演奏できるピクチャフレームデバイスが開示される。【選択図】図２
2006135967.tif 000002
【特許請求の範囲】
【請求項１】
サウンドを演奏することが出来るピクチャフレームデバイスであって、
ピクチャを中に固定するフレームと、
フレーム上に配置されるコードリーダであって、前記コードリーダが移動されると、ピクチャ上のオーディオ情報を有するバーコードを読み取るコードリーダと、
コードリーダに連結され、バーコードをボイスファイルに復号するデコーダと、
デコーダに連結され、ボイスファイルを出力するプレーヤと、を備えるピクチャフレームデバイス。
【請求項２】
前記読み込まれたオーディオ情報は、２次元オーディオコード画像技術によってバーコードに符号化される、請求項１に記載のピクチャフレームデバイス。
【請求項３】
コードリーダは、更に、
バーコードを読み取る走査ユニットと、
走査ユニットを支持すると共にそれに旋回可能に結合される支持ユニットと、を備え、走査ユニットは、支持ユニットの二つの端部の間で自由に移動する、請求項１に記載のピクチャフレームデバイス。
【請求項４】
オーディオファイルは、ＭＰ３、ＷＡＶ、及びＭＩＤＩよりなる群から選択されるフォーマットである、請求項１に記載のピクチャフレームデバイス。
【請求項５】
バーコードは、ピクチャの裏の上側、下側、左側、及び右側のいずれかに配置される、請求項１に記載のピクチャフレームデバイス。
【請求項６】
サウンドを記録できるピクチャフレームデバイスであって、
ピクチャを中に固定するフレームと、
オーディオ情報を入力及び受信するレコーダと、
レコーダに連結され、オーディオ情報をオーディオファイルに符号化するエンコーダと、
エンコーダに連結され、オーディオファイルをバーコードに変換するバーコード発生器と、
バーコード発生器に連結され、バーコードをレコードファイルに記憶するバーコード記憶装置と、
バーコード記憶装置に連結され、バーコードをプリントするプリントユニットと、を備え、バーコードがピクチャと組み合わされる、ピクチャフレームデバイス。
【請求項７】
オーディオファイルは、２次元オーディオコード画像技術によってバーコードに符号化される、請求項６に記載のピクチャフレームデバイス。
【請求項８】
オーディオファイルは、ＭＰ３、ＷＡＶ、及びＭＩＤＩより構成される群から選択されるフォーマットである、請求項６に記載のピクチャフレームデバイス。
【請求項９】
プリントユニットは、ピクチャの裏にバーコードをプリントする、請求項６に記載のピクチャフレームデバイス。
【請求項１０】
バーコード記憶装置に連結され、レコードファイルをオーディオファイルに符号化するデコーダを更に備える、請求項６に記載のピクチャフレームデバイス。
【請求項１１】
デコーダに連結され、オーディオファイルを出力するプレーヤを更に備える、請求項１０に記載のピクチャフレームデバイス。
【請求項１２】
バーコードは、ピクチャ裏の上側、下側、左側、及び右側のいずれかに配置される、請求項６に記載のピクチャフレームデバイス。
【請求項１３】
サウンドを記録することが出来るピクチャフレームデバイスであって、
ピクチャを中に固定するフレームと、
フレーム上に配置され、ピクチャ上のバーコードを読み取るコードリーダと、
コードリーダに連結され、バーコードをレコードファイルに記憶するバーコード記憶装置と、を備えるピクチャフレームデバイス。
【請求項１４】
コードリーダは、更に、
バーコードを読み取る走査ユニットと、
走査ユニットを支持すると共にそれに旋回可能に結合される支持ユニットと、を備え、走査ユニットは、支持ユニットの二つの端部の間で自由に移動する、請求項１３に記載のピクチャフレームデバイス。
【請求項１５】
コードリーダ及びバーコード記憶装置に連結され、レコードファイルをオーディオファイルに復号化するデコーダを更に備える、請求項１３に記載のピクチャフレームデバイス。
【請求項１６】
デコーダに連結され、オーディオファイルを出力するプレーヤを更に備える、請求項１５に記載のピクチャフレームデバイス。
【請求項１７】
バーコードは、ピクチャの裏の上側、下側、左側、及び右側のいずれかに配置される、請求項１３に記載のピクチャフレームデバイス。
【発明の詳細な説明】
【技術分野】
【０００１】
本発明は、ピクチャフレームデバイスに関し、詳細には、サウンドを演奏及び記録できるピクチャフレームデバイスに関する。
【背景技術】
【０００２】
近年、オーディオコード画像技術は、相当成熟している。特定の２次元画像符号化技術に類似するアルゴリズム技術を介して、サウンドは、プリントされるため或いは表示装置に表示されるためにバーコードに変換されることが出来る。このように、サウンドが視覚的に符号化され、オーディオ情報が広範囲に亘る用途に使用可能となっている。
【０００３】
更に、現在のピクチャは、漸進的にデジタル的に取られており、これらのデジタルピクチャの連続的記憶、編集、及び出力動作も、デジタル的に実行される。
【発明の開示】
【発明が解決しようとする課題】
【０００４】
しかしながら、従来のフィルム化デバイスやピクチャフレームに対して、取られたピクチャは、人間的な方法でサウンドと共に実施出来ない、又はそれと組み合わせることが出来ない。今日、オーディオコード画像技術は、フィルム化デバイスで簡単に使用されているが、ピクチャとサウンドとの組合せに関連する用途は、その用途の実際の操作及び汎用的ピクチャの点でユーザの要求を満たすようには未だ利用可能ではない。例えば、ピクチャとオーディオコード画像の組合せは、サウンドを演奏することを可能とすべきであり、一般的なピクチャに関するその組合せは、オーディオコード画像技術を使用することによって価値が高められるべきである。
【０００５】
更に、ピクチャの現在の配列法に関して上記用途のために使用され得るピクチャフレームデバイスはまだない。
【課題を解決するための手段】
【０００６】
サウンドを演奏できるピクチャフレームデバイスは、ピクチャを中に固定するフレームと、フレームに配されるコードリーダであって、このコードリーダを移動することによってピクチャ上のバーコードを読み取るコードリーダと、を備える。コードリーダにはデコーダが連結され、バーコードをオーディオファイルに復号化し、デコーダに連結されたプレーヤは、オーディオファイルを出力する。
【０００７】
本発明は、以下に示される詳細な記述からより十分に理解されるが、それは例示に過ぎず、従って、本発明を制限するものではない。
【発明を実施するための最良の形態】
【０００８】
本発明において、サウンドを演奏し且つ記録することが出来るピクチャフレームデバイスが開示される。図１を参照すると、そこには、ピクチャフレームデバイスの概略が描かれている。サウンドを演奏する機能を達成するために、ピクチャフレームデバイスは、ピクチャ１１を中に固定するフレーム１０と、少なくとも１セットのオーディオ情報を含むバーコード２０を備えるピクチャ１１と、バーコード２０に関連する位置のフレーム１０に配置されるコードリーダ１２とを備え、コードリーダ１２は、このコードリーダ１２を移動することによってバーコード２０のオーディオ情報を読み取る。コードリーダ１２は、更に、走査ユニット１３と支持ユニット１４とを備える。走査ユニット１３を介して、バーコード２０のオーディオ情報が読み取られる。支持ユニット１４は、走査ユニット１３を支持すると共にそれに対して旋回可能に接続され、従って、走査ユニット１３は、支持ユニット１４の二つの端部間を自由に移動可能であり、そこでは、走査ユニット１３は、手動または自動で動いても良い。走査ユニット１３が自動で動く場合、サウンド演奏キー１５は、コードリーダ１２を起動するために使用される。起動されると、コードリーダ１２は、バーコード２０上を動き、走査ユニット１３がバーコード２０を走査する。走査動作が終了すると、デコーダ２１（図２で詳細に記述される）は、走査された情報をオーディオファイルに復号化する。最後に、オーディオファイルは、デコーダ２１に接続されるプレーヤ１６（図２でも詳細に記述される）によって演奏されることが出来る。
【０００９】
走査ユニット１３が手動で移動する場合、走査ユニット１３は、ユーザによって移動させられてバーコード２０に運ばれる情報を操作する。バーコード２０が読み込まれると、上述の複合化及び演奏動作が同様に実行される。
【００１０】
他方、サウンドを記録する機能を達成するために、サウンドレコードキー１７が、ユーザからのサウンドを記録するために使用される。設けられたサウンド記録機能を介して、ピクチャ１１には、更に、音声記述が提供され、そのピクチャ１１は、より完全且つ生き生きと記録されることが出来る。音声記述は、例えば、位置、時間、状況等の情報に関連されることが出来る。サウンド記録機能は、サウンド受信ホール１８を介してサウンド記録を実行する。以降、本発明に設けられるサウンド記録の実施の形態は、図２に関連して記述される。
【００１１】
好適な実施の形態において、記録機能キー１９は、複数の記録情報を選択するために設けられ、液晶ディスプレイ（ＬＣＤ）は、ピクチャフレームデバイスの操作に関連する情報状態を表示するために設けられる。
【００１２】
次に、図２を参照する。図２において、サウンドを演奏及び記録出来るピクチャフレームデバイスのブロック図が示されている。サウンドを演奏する機能を達成するために、ピクチャフレームデバイスは、ピクチャ１１を中に固定するフレーム１０を備え、固定ピクチャ１１は、更に、少なくとも１セットのオーディオ情報を含むバーコード２０を備え、そこでは、バーコード２０は、オーディオ情報を２次元オーディオコード画像符号化技術で符号化することにより発生され、更に、ピクチャフレームデバイスは、バーコード２０に関連する位置のフレーム１０上に配置されるコードリーダ１２を備え、このコードリーダ１２は、該コードリーダ１２を移動することによってピクチャ１１上のバーコード２０のオーディオ情報を読み取り、また、ピクチャフレームデバイスは、コードリーダ１２に連結され、２次元オーディオコード画像符号化技術によって逆復号化動作を介してオーディオ情報を復号化するデコーダ２１を備え、オーディオファイルは、ＭＰ３、ＷＡＶ、ＭＩＤＩ等のフォーマットであり、オーディオファイルを出力するプレーヤ１６が、デコーダ２１に連結されている。この例では、上述の読み込まれたオーディオ情報は、コード記憶装置２２のレコードファイル（Ｎｏ．００１）に記憶される。
【００１３】
更に、一般的なピクチャ及びバーコードを夫々含むピクチャに関してサウンド記録の機能を達成するために、ピクチャフレームデバイスの第１の実施の形態は、オーディオ情報を受信するために使用されるレコーダ２３と、レコーダ２３に連結され、オーディオ情報をオーディオファイルに符号化するために使用されるエンコーダ２４とを備え、そこでは、オーディオファイルは、例えば、ＭＰ３、ＷＡＶ、及びＭＩＤＩのフォーマットであり、また、第１の実施の形態は、エンコーダ２４に連結され、オーディオファイルをバーコード２０に符号化するために使用されるバーコード発生器２５を備え、そこでは、バーコード２０は、オーディオファイルを２次元オーディオコード画像符号化で符号化することにより得られ、更に、第１の実施の形態は、バーコード発生器２５に連結され、レコードファイル（Ｎｏ．００２）としてバーコード２０を記憶するために使用されるバーコード記憶装置２２と、バーコード記憶装置２２に連結され、ピクチャ１１上にバーコード２０をプリントするために使用されるプリントユニット２６と、を備える。なお、バーコード２０は、ピクチャ１１の裏側にプリントされるのが好ましい。ユーザがレコードキー１７を押すと、サウンドがサウンド受信ホール１８を介して入力され、レコーダ２３に記録される。次に、記録されたサウンドは、エンコーダ２４に送信され、そこで、記録されたサウンドは、符号化されて２次元バーコードに変換される。次に、２次元バーコードは、バーコード記憶装置２２に記憶される。具体的な実施の形態では、バーコード記憶装置２２に記憶された２次元バーコードは、プリントユニット２６によってピクチャ１１にプリントされる。或いは、ユーザは、レコードキー１９及び演奏キー１５のよって望ましいオーディオ情報を選択してプレーヤ１６によってそのオーディオ情報を演奏できる。
【００１４】
バーコードを含むピクチャに関してサウンド記録の機能を達成するために、ピクチャフレームデバイスの第２の実施の形態は、ピクチャ１１を中に固定するフレーム１０を備え、ピクチャ１１は、少なくとも１セットのオーディオ情報を含む第１のバーコード２０１を更に備え、そこでは、第１のバーコード２０１は、２次元オーディオコード画像符号化技術によって符号化され、また、第２の実施の形態は、第１のバーコード２０１に関連する位置のフレーム１０上に配されるコードリーダ１２を備え、このコードリーダ１２を移動することによって第１のバーコード２０１を読み込み、更に、第２の実施の形態は、オーディオ情報を受信するレコーダ２３と、レコーダ２３に連結され、例えば、ＭＰ３、ＷＡＶ及びＭＩＤＩのフォーマットでオーディオ情報を第２のオーディオファイルに符号化するエンコーダ２４と、エンコーダ２４に連結され、第２のオーディオファイルを第２のバーコード２０２に符号化するために使用されるバーコード発生器２５と、を備え、バーコード２０２は、２次元オーディオ画像符号化技術によって第２のオーディオファイルを符号化することによって得られ、また、第２の実施の形態は、コードリーダ１２とバーコード発生器２５に連結され、レコードファイル（Ｎｏ．００３）として第１と第２のバーコード２０１と２０２を記憶するために使用されるバーコード記憶装置２２と、バーコード記憶装置２２に連結され、バーコード２０をプリントするために使用されるプリントユニット２６と、を備える。レコードファイル（Ｎｏ．００３）を介して、第１と第２のバーコード２０１と２０２間の相互のインデックスの関係が記録され、プリントユニット２６又はディスプレイユニット２７によって出力される。バーコード２０１と２０２がプリントアウトを目的とされてない場合、ピクチャ１１が、再びピクチャフレームデバイスに配置されたときに、第２のバーコード２０２は、レコードファイル（Ｎｏ．００３）のインデックスを介して検出され、完全に出力される。
【００１５】
上記二つの実施の形態において、レコード機能キー１９は、複数の情報を選択するために設けられる。レコードキー１７を操作すると、消去、記録、演奏、表示又はプリントの機能が実行される。更に、液晶ディスプレイ（ＬＣＤ）１０１は、ピクチャフレームデバイスの上記操作に関連する情報状態を表示するために設けられる。
【００１６】
図３Ａ乃至図３Ｄは、本発明の実施の形態に従うサウンドを演奏及び記録出来るピクチャフレームデバイスの概略を夫々示している。図示されるように、コードリーダに関連するバーコードの各々は、ピクチャの上側、下側、左側、又は右側に位置されることが出来る。或いは、バーコードは、ピクチャ裏の上側、下側、左側、又は右側にあってもよい。
【００１７】
図４は、本発明の第１の実施の形態に従うサウンドを演奏及び記録することが出来るピクチャフレームデバイスのコードリーダの構造を示している。この実施の形態において、コードリーダ１２は、手動で移動させられ、そこでは、走査ユニット１３が、支持ユニット１４の二つの端部間を自由に移動し、バーコード２０の読取が達成される。図５は、本発明の第２の実施の形態に従うサウンドを演奏及び記録することが出来るピクチャフレームデバイスのコードリーダの構造を示している。この実施の形態では、コードリーダ１２は、自動的に移動させられ、そこでは、走査ユニット１３が、起動されてサウンド演奏キー１５を介して移動して走査する。走査ユニット１３を起動するために、第１のギア１０２が支持ユニット１４上に設けられ、且つ第２のギア１０３が走査ユニット１３に設けられる。第１のギア１０２は、第２のギア１０３に歯合し且つ電気的に接続され（電気接続は、図示されていない）、第２のギア１０３が、駆動されて回転し且つバーコード２０が自動的に読み取られる。
【００１８】
本発明の実施の形態及び用途が示され且つ記述されたが、この開示の利益を享受する当業者にとって、ここで示される発明の概念から離れることなく、上述された以上の変更が可能であることは自明である。従って、本発明は、添付の請求項の精神及びその等価物範囲を除いて制限されるべきではない。
【図面の簡単な説明】
【００１９】
【図１】本発明に従う、サウンドを演奏且つ記録することが出来るピクチャフレームデバイスの概略を例示的に示す。
【図２】本発明に従う、サウンドを演奏且つ記録することが出来るピクチャフレームデバイスのブロック図を例示的に示す。
【図３Ａ】本発明の実施の形態に従う、サウンドを演奏し且つ記録することが出来るピクチャフレームデバイスの概略を例示的に示す。
【図３Ｂ】本発明の実施の形態に従う、サウンドを演奏し且つ記録することが出来るピクチャフレームデバイスの概略を例示的に示す。
【図３Ｃ】本発明の実施の形態に従う、サウンドを演奏し且つ記録することが出来るピクチャフレームデバイスの概略を例示的に示す。
【図３Ｄ】本発明の実施の形態に従う、サウンドを演奏し且つ記録することが出来るピクチャフレームデバイスの概略を例示的に示す。
【図４】本発明に従う、サウンドを演奏且つ記録することが出来るピクチャフレームデバイスのコードリーダの構造の第１の実施の形態を例示的に示す。
【図５】本発明に従う、サウンドを演奏且つ記録することが出来るピクチャフレームデバイスのコードリーダの構造の第２の実施の形態を例示的に示す。
【図１】
2006135967.tif 000003
【図２】
2006135967.tif 000004
【図３Ａ】
2006135967.tif 000005
【図３Ｂ】
2006135967.tif 000006
【図３Ｃ】
2006135967.tif 000007
【図３Ｄ】
2006135967.tif 000008
【図４】
2006135967.tif 000009
【図５】
2006135967.tif 000010
【外国語明細書】
2006135967000001.pdf